(57)【要約】【課題】誘電センサーを利用して乾燥器内部の温度と風量を一定に維持して生ゴミの乾燥効率を高め、この乾燥過程で気化して蒸発する水蒸気の発生量を一定に維持して脱臭剤の脱臭性能を向上させる生ゴミ乾燥器を提供する。【解決手段】誘電センサーで生ゴミの誘電率変化を測定して乾燥器の内部温度変化を感知し、これを判断して加熱ヒーターと空気循環ファンの駆動を制御することにより、乾燥器内部の温度と風量を常に一定に維持して生ゴミの乾燥効率を高めることができ、同時に脱臭剤による悪臭粒子の脱臭効率を高めることができる。【選択図】図１
2008290061.tif 000002
【特許請求の範囲】
【請求項１】
内部に乾燥空間が形成され、一部が外部に開放された本体と；
前記本体に出入可能に装着され、本体の開放された一部を覆うカバーと；
前記本体の内部に配置され、生ゴミを内部に収容する乾燥箱と；
前記本体の内部に装着され、外部電源によって発熱する加熱ヒーターと；
前記加熱ヒーターから発熱した熱を乾燥箱に送風して生ゴミを加熱乾燥する空気循環ファンと；
前記生ゴミの乾燥過程で気化した水蒸気を含む空気は外部に排出させ、乾燥空気は乾燥箱に循環させるように外部と連通した状態で前記乾燥空間に装着される循環配管と；
前記本体の内部に設置され、生ゴミの誘電率変化を測定して乾燥空間の温度変化を感知し、これを判断して加熱ヒーターと空気循環ファンの駆動を制御する誘電センサーと；
前記本体の外部に装着され、循環配管を通じて排出される悪臭粒子を含む水蒸気を吸着及び脱臭するために、平均粒径が０．５〜１．５ｍｍであり、銅（Ｃｕ）、マンガン（Ｍｎ）、水酸化ナトリウム（ＮａＯＨ）及び水酸化カリウム（ＫＯＨ）が担持された活性炭を内蔵している脱臭装置と；を含んでなることを特徴とする、生ゴミ乾燥器。
【請求項２】
前記乾燥箱の内部底には、生ゴミの空気透過率を高めるように、多数の通気孔が形成された支持枠が離隔して取り付けられることを特徴とする、請求項１に記載の生ゴミ乾燥器。
【請求項３】
前記脱臭装置は、活性炭を内蔵する脱臭空間が内部に隔離して形成され、吸入口を通じて流入した水蒸気を含む空気を両方に分離して吸着及び脱臭することを特徴とする、請求項１に記載の生ゴミ乾燥器。
【請求項４】
前記活性炭は、水１ｌに、５，０００〜８０，０００ｍｇのマンガン（Ｍｎ）、５，０００〜２００、０００ｍｇの銅（Ｃｕ）、１００〜１０、０００ｍｇの水酸化ナトリウム（ＮａＯＨ）及び１００〜１０、０００ｍｇの水酸化カリウム（ＫＯＨ）を溶解させた後、常温で平均粒径０．５〜１．５ｍｍの活性炭を添加して担持させ、これを脱水してから９０〜１２０℃で乾燥してなるものであることを特徴とする、請求項１ないし３のいずれか１項に記載の生ゴミ乾燥器。
【発明の詳細な説明】
【技術分野】
【０００１】
本発明は生ゴミ乾燥器に係り、より詳しくは誘電センサーを利用して乾燥器内部の温度と風量を一定に維持して生ゴミの乾燥効率を高め、この乾燥過程で気化して蒸発する水蒸気の発生量を一定に維持して脱臭剤の脱臭性能を向上させることができる生ゴミ乾燥器に関するものである。
【背景技術】
【０００２】
一般に、家庭で発生した生ゴミは主に埋立て方式で処理しているから深刻な環境汚染を引き起こし、さらに腐敗しながらひどい悪臭を伴うから周辺環境はもちろん、生活環境の全般にわたって多くの環境汚染問題を発生する主犯として作用している。
【０００３】
生ゴミ処理器はこのような環境汚染問題を引き起こす生ゴミを処理するための装置であって、微生物を利用した発酵方式を利用して生ゴミを処理しているので、生ゴミの処理便宜性に優れるという利点があるが、微生物の維持、管理に多少困難があり、微生物にだけ頼っているため、生ゴミ処理速度が遅れるという問題点がある。
【０００４】
一方、生ゴミ乾燥器は、内部に熱線又はヒーターからなる加熱器を装着して生ゴミを乾燥する装置であって、乾燥した生ゴミは肥料として使用するか、埋立て方式で処理している。
【０００５】
また、乾燥器の内部には送風機を設置し、この送風機からの送風を生ゴミに繰り返して循環導入させることで、非常に効率的な生ゴミの乾燥処理を行うようにしている。
【０００６】
これに関連した先行技術としては、特許文献１及び特許文献２を例としてあげることができる。これをよく調べると、乾燥器の内部に収容されている収容箱の上方部に送風機を配置し、前記乾燥器の内部には、送風機からの送風を生ゴミに循環導入させるように、空気の循環流路を形成したことが分かる。
【０００７】
したがって、前記送風機と空気の循環流路によって発生した循環空気流が生ゴミの表層部を広範囲に繰り返して乾燥させて乾燥処理能率を高めている。
【０００８】
しかし、加熱器を利用した乾燥方式の生ゴミ処理器は、生ゴミの処理速度が速く、多量の生ゴミを一度に処理することができるという利点があるが、生ゴミを乾燥させる過程で過熱される場合が頻繁に発生して、安全性に深刻な問題点を露出している。
【０００９】
また、前述した先行技術は、単に送風機からの送風を利用して生ゴミを乾燥するばかり、加熱器に比べて安全性はあるが、乾燥時間が相対的に長くかかるから、乾燥効率の効果が期待値だけ向上しないものと報告されている。
【００１０】
さらに、前記先行技術による生ゴミ乾燥器は、飲食物においを下水口を通じて排出するから、流し台の周辺にだけ設置することができるという場所の制限があり、排出された飲食物においが下水口に沿って逆流する場合もたびたび発生しているから、悪臭による被害事例につながっている。
【００１１】
一方、特許文献３は、ゼオライト又はアルミナ担体に貴金属触媒を担持させた脱臭ユニットを利用して、生ゴミの腐敗又は乾燥過程で発生する悪臭を吸着及び酸化させる生ゴミ処理器又は乾燥器を開示している。
【００１２】
しかし、生ゴミの処理過程で発生する悪臭を吸着して脱臭するための脱臭剤として貴金属触媒を担持させて使用するから高価であり、前記脱臭剤の効率を維持するためには高温が要求されるため、電力が多く消耗される欠点がある。
【００１３】
【特許文献１】特開１９９７−１５９３５８号公報
【特許文献２】大韓民国登録特許第１７５７１１号明細書
【特許文献３】大韓民国登録特許第７０６９１９号明細書
【発明の開示】
【発明が解決しようとする課題】
【００１４】
したがって、本発明は前記のような従来の問題点を解消するためになされたもので、生ゴミ乾燥器の内部温度と風量を一定に維持して生ゴミの乾燥効率を高め、この乾燥過程で発生する水蒸気の量を一定に維持して脱臭剤の脱臭効率を高めることにその目的がある。
【００１５】
本発明のほかの目的は、誘電率の変化を測定して温度変化を感知することができる誘電センサーを利用して、生ゴミの乾燥の際、温度と風量を一定に維持して生ゴミの乾燥効率を高め、過熱防止によって安全性を大きく向上させることができ、生ゴミの乾燥過程で蒸発する水蒸気の量を一定に維持して脱臭剤の脱臭効率を向上させることができることはもちろん、その寿命を延ばすようにした生ゴミ乾燥器を提供することにある。
【００１６】
本発明のさらに他の目的は、生ゴミの乾燥効率及び脱臭剤の脱臭効率の向上によって、家庭で生ゴミによる悪臭の心配なしに安心して使用できるようにした生ゴミ乾燥器を提供することにある。
【課題を解決するための手段】
【００１７】
前記目的を達成するための本発明は、内部に乾燥空間が形成され、一部が外部に開放された本体と；前記本体に出入可能に装着され、本体の開放された一部を覆うカバーと；前記本体の内部に配置され、生ゴミを内部に収容する乾燥箱と；前記本体の内部に装着され、外部電源によって発熱する加熱ヒーターと；前記加熱ヒーターから発熱した熱を乾燥箱に送風して生ゴミを加熱乾燥する空気循環ファンと；前記生ゴミの乾燥過程で気化した水蒸気を含む空気は外部に排出させ、乾燥空気は乾燥箱に循環させるように外部と連通した状態で前記乾燥空間に装着される循環配管と；前記本体の内部に設置され、生ゴミの誘電率変化を測定して乾燥空間の温度変化を感知し、これを判断して加熱ヒーターと空気循環ファンの駆動を制御する誘電センサーと；前記本体の外部に装着され、循環配管を通じて排出される悪臭粒子を含む水蒸気を吸着及び脱臭するように、平均粒径が０．５〜１．５ｍｍであり、銅（Ｃｕ）、マンガン（Ｍｎ）、水酸化ナトリウム（ＮａＯＨ）及び水酸化カリウム（ＫＯＨ）が担持された活性炭を内蔵している脱臭装置と；を含んでなる。
【００１８】
したがって、家庭又は飲食店などで発生する生ゴミは乾燥箱に収容され、加熱ヒーターと空気循環ファンの駆動によって循環配管に沿って循環する熱風によって乾燥され、この乾燥過程で生ゴミから気化して蒸発する水蒸気を含む空気は循環配管を通じて排気される。
【００１９】
この生ゴミの乾燥過程で、誘電センサーは、生ゴミの誘電率変化を測定し、水蒸気の発生量がない場合、加熱ヒーターの駆動を中止させ、空気循環ファンのみを駆動して乾燥空間の温度変化を維持することにより、過熱を防止すると同時に水蒸気の蒸発量を調節して脱臭効率を高めることになる。
【００２０】
結局、このような誘電センサーによって蒸発量が調節された水蒸気を含む空気は脱臭装置に吸着及び脱臭されて悪臭粒子が除去されて浄化され、最終に浄化された空気のみを大気中に排出することにより、家庭又は飲食店などで悪臭の心配なしに安心して生ゴミを乾燥することができるものである。
【発明の効果】
【００２１】
前記のような本発明の構成によれば、誘電センサーで生ゴミの誘電率変化を測定して乾燥器内部の温度変化を感知し、これを判断して加熱ヒーターと空気循環ファンの駆動を制御することにより、乾燥器内部の温度と風量を常に一定に維持して生ゴミの乾燥効率を高めることができる。
【００２２】
また、乾燥器内部の温度変化を常に感知して一定に維持することにより、加熱ヒーターの過熱を防止して、生ゴミ乾燥器の使用における安全性を大きく向上させることができる。
【００２３】
さらに、温度と風量の維持によって、生ゴミの乾燥過程で気化して蒸発する水蒸気の量を一定に維持することにより、脱臭剤による悪臭粒子の吸着及び脱臭効率を向上させることができる。
【００２４】
したがって、生ゴミの乾燥効率及び悪臭粒子の脱臭効率向上によって家庭又は飲食店などにおいて、生ゴミによる悪臭の心配なしに生ゴミ乾燥器を安心して使用することができるなどの非常に有用な発明である。
【発明を実施するための最良の形態】
【００２５】
以下、本発明の好ましい実施例を添付図面に基づいて詳細に説明する。
図１は本発明による生ゴミ乾燥器の実施例を斜視図として示すもので、主に家庭又は飲食店などで発生する生ゴミを収容して乾燥するように本体の前方にカバーを結合した生ゴミ乾燥器の全体的な外形を示している。
【００２６】
図２は本発明による生ゴミ乾燥器の内部構成を断面図として示すもので、乾燥箱に収容されている生ゴミを加熱ヒーターと空気循環ファンの駆動によって循環配管に沿って循環する熱風によって乾燥し、この乾燥過程で生ゴミから気化して蒸発する水蒸気を含む空気は循環配管を通じて排気することができるように構成されたものを示している。
【００２７】
図３は本発明による生ゴミ乾燥器の全体構成を分解斜視図として示すもので、生ゴミを熱風で乾燥するための加熱ヒーター、空気循環ファン、及び生ゴミで気化して蒸発する水蒸気を外部に排出するための循環配管の構成、この乾燥過程で気化して蒸発する水蒸気を排出するための各構成及び結合関係を示している。
【００２８】
図４は本発明による乾燥箱の実施例を分解斜視図として示すもので、生ゴミを収容するための乾燥箱に、空気の透過率を高めるための支持枠、及び生ゴミの乾燥完了の際、乾燥箱を生ゴミ乾燥器の外部に取り出すことができるようにする把持部材が備えられたものを示している。
【００２９】
図５は本発明による生ゴミ乾燥過程を一部切開して断面斜視図として示すもので、乾燥箱に収容されている生ゴミを熱風で乾燥し、乾燥された生ゴミから気化して蒸発する水蒸気を外部に排出する過程を示している。
【００３０】
すなわち、図１〜図２に示すように、本発明は、温度と誘電率の変化を同時に測定することができる誘電センサー５０を利用して、生ゴミ乾燥器１による生ゴミの乾燥効率を高めると同時に、この乾燥過程で気化して蒸発する悪臭粒子を含む水蒸気の脱臭効率を向上させるための構成である。
【００３１】
本発明による本体１０は生ゴミ乾燥器１の全体的な外観を構成するケースで、生ゴミを乾燥する乾燥空間１０ａが内部に形成され、一部が外部に開放した形態を有することになる。
【００３２】
その実施例として、本発明は、本体１０が、底１１と、この底１１を取り囲む側壁１２及び上板１３からなって内部に乾燥空間１０ａが形成され、前面は外部に開放したものを示しているが、これは一例であるばかり、上面又は側面を外部に開放して使用することもできるもので、必ずこれに限定されるものではない。
【００３３】
このような本体１０を構成する上板１３には、生ゴミ乾燥器１を作動させるための操作スイッチ１４が付着され、代表的には電源スイッチ及び動作状態を示す動作スイッチなどが本体１０の上板１３の前方に付着されたものを示している。
【００３４】
カバー２０はこのような本体１０の開放した一部を覆って、普段には生ゴミから発生した悪臭粒子を含む空気が大気中に放出されないように密閉し、必要時には、本体１０の内部乾燥空間１０ａを開放して、生ゴミが後述する乾燥箱２５に収容できるようにする。
【００３５】
このカバー２０の好ましい実施例として、本発明は、図３に示すように、カバー２０が本体１０の前面にガイドレール２１に沿ってスライド自在に装着されたものであって、前記本体１０の前方にカバー２０が自然に開放される。
【００３６】
前記カバー２０のより好ましい実施例として、本発明は、前記カバー２０に支持部２２を形成した後、乾燥箱２５が載せられるようにして、カバー２０の開放過程で前記乾燥箱２５が自然に外部に引き出されるようにしたものである。
【００３７】
前記カバー２０のさらに好ましい実施例として、本発明は、前記カバー２０の外面に取っ手２３が形成されたもので、本体１０に対するカバー２０の開閉が前記取っ手２３によって易しくて簡便に行えるようにする。
【００３８】
また、このカバー２０と本体１０との間には、カバー２０の密閉の際、本体１０の内部乾燥空間１０ａと外部を完全に隔離するとともにカバー２０と本体１０間の接触過程で不要な騷音が発生することを予防するように気密材２４が付着されたものである。
【００３９】
したがって、このようなカバー２０が平常時には本体１０の一部を覆っているが、使用の際に開放することにより、生ゴミの乾燥過程で不要な悪臭粒子などが空気とともに放出されることを予防し、乾燥空間１０ａを密閉状態に維持して、生ゴミの乾燥効率を高めることができるものである。
【００４０】
前記乾燥箱２５は、内部に収容空間２６が形成された形態でカバー２０に形成された支持部２２に配置され、前記収容空間２６に生ゴミを収容して保管する役目をすることになる。
【００４１】
望ましくは、別途の支持枠２７を乾燥箱２５の内部底に装着することにより、収容空間２６に収容された生ゴミの乾燥効率を高めることができる。
【００４２】
すなわち、前記支持枠２７は、図４に示すように、収容空間２６と同一又は類似の枠形態として提供され、特に多数の通気孔２８が形成されるので、これを乾燥箱２５の内部底に離隔して装着する場合、収容された生ゴミを空気が均一に通過しながら乾燥することになり、乾燥効率が高くなることになるものである。
【００４３】
より望ましくは、前記乾燥箱２５に把持部材２９が回動自在に装着されているので、乾燥した生ゴミの外部への排出の際、この把持部材２９によって乾燥箱２５を本体１０から取り出すようにする。
【００４４】
このような乾燥箱２５の底には、収容中の生ゴミを撹拌して生ゴミの上部と下部間の加熱温度差を無くすとともに湿気の円滑な除去のための公知の攪拌機（図示せず）を別に備えて使用することもできる。
【００４５】
本発明による加熱ヒーター３０は、前記乾燥箱２５に収容される生ゴミを外部電源によって加熱して乾燥する役目をするもので、このために、前記加熱ヒーター３０は乾燥箱２５の上方に位置したままで本体１０の内部乾燥空間１０ａに装着されている。
前記加熱ヒーター３０は、外部電源によって発熱して生ゴミを乾燥することができる公知の構成はすべて適用可能であるが、望ましくはＰＴＣヒーターを適用して設定温度範囲を維持しながら生ゴミを乾燥することが好ましい。
【００４６】
このＰＴＣヒーターの設定温度は約６０〜７０℃が好ましい。
ここで、前記加熱ヒーター３０を駆動させるための外部電源としては自体バッテリーが主に使用されるが、その外に家庭又は飲食店などで使用する場合、本体１０の後方に連結されている電線を建築物のコンセントに直接連結して加熱ヒーター３０を駆動させることになる。
【００４７】
すなわち、前記電線を連結することができるコンセントが周辺にある家庭又は飲食店などでは、このコンセントに電線を接続して駆動させ、別途のコンセントを見つけることができない場所で本発明の生ゴミ乾燥器１を使用する場合は、自体バッテリーを利用して駆動させることになる。
【００４８】
このような外部電源は、加熱ヒーター３０の駆動はもちろん、前述した操作スイッチ１４、後述する空気循環ファン３１を含む各種の電気器具に電流を供給する役目をすることになるということを予め明かしておく。
【００４９】
本発明による空気循環ファン３１は、加熱ヒーター３０から発熱した熱を乾燥箱２５に送風して生ゴミを加熱乾燥する役目をすることになる。
【００５０】
このために、前記空気循環ファン３１は、駆動モーター３２及びこの駆動モーター３２に軸結合される駆動ファン３３から構成されて、加熱ヒーター３０に隣接した位置に装着され、本発明の実施例は前記加熱ヒーター３０の前方上部に空気循環ファン３１が装着されたものを示している。
【００５１】
したがって、前記空気循環ファン３１の作動によって発生した空気は加熱ヒーター３０を経って乾燥箱２５に送風され、この送風過程で前記加熱ヒーター３０の熱を含むことになり、前記乾燥箱２５に収容されている生ゴミを熱風で乾燥することになる。
【００５２】
ここで、前記空気循環ファン３１を構成する駆動ファン３３の下部には、生ゴミの乾燥過程で熱風によって生ゴミが沸き立って駆動ファン３３に浸透することを予防するために、濾過網３４が装着されている。
【００５３】
循環配管４０は、この空気循環ファン３１によって送風される熱風によって生ゴミが乾燥される過程で気化して蒸発する水蒸気を含む空気は外部に排出させ、乾燥空気は乾燥箱２５に循環させるように、外部と連通した状態で本体１０の内部乾燥空間１０ａに装着される。
【００５４】
望ましくは、前記循環配管４０は、吐出管４１、送風管４２及び排気管４３から構成され、前記吐出管４１は、加熱ヒーター３０から発熱した熱を含んでいる熱風をすぐ受けて移送するように、前記加熱ヒーター３０に近接した位置に装着され、この吐出管４１に連結された送風管４２は移送された熱風を乾燥箱２５に送風するように、乾燥箱２５と隣接して装着されることが好ましい。
【００５５】
また、前記排気管４３は、生ゴミから蒸発する水蒸気を含む空気を最終的に外部に排出するように、一端は空気循環ファン３１に近接して位置させ、他端は本体１０の後方に固定したものである。
【００５６】
この本体１０の後方に別途の排気部１５が備えられている場合は、この排気部１５に排気管４３を連結して水蒸気を含む空気を排出してもかまわない。
【００５７】
また、前記循環配管４０を構成する吐出管４１、送風管４２及び排気管４３は、その配管範囲が本体１０の内部乾燥空間１０ａの全体にかけて装着される関係で、各管は分割状態で提供されることが好ましいが、必ずそのようなものではない。
【００５８】
したがって、このような吐出管４１、送風管４２及び排気管４３を含んでいる循環配管４０が本体１０の内部乾燥空間１０ａに装着されることによって、加熱ヒーター３０から発熱した熱を含んでいる熱風を持続的に乾燥箱２５に送風して生ゴミを乾燥することになるものである。
【００５９】
この過程で気化した水蒸気を含む空気を外部に排気し、乾燥空気はさらに乾燥箱に循環させることで、生ゴミの乾燥効率及び熱効率を同時に高めることができるものである。
【００６０】
本発明による誘電センサー５０は本体内部に設置され、生ゴミの誘電率変化を測定して乾燥空間１０ａの温度変化を感知し、これを判断して加熱ヒーター３０と空気循環ファン３１の駆動を制御することになる。
【００６１】
この誘電センサー５０は、生ゴミを収容している乾燥箱２５に取り付けられ、この生ゴミの誘電率変化を測定して乾燥空間１０ａの内部温度変化を感知することになる。
【００６２】
ここで、前記誘電センサー５０は電磁波を利用して誘電率変化を測定し、温度変化を感知することができるセンサーであって、水分によって誘電緩和周波数が変化する程度を計算して水蒸気内の水分含量を検出する。
【００６３】
すなわち、水蒸気内の水分含量が高くなるほど誘電緩和周波数が増加し、生ゴミに多量の水分があると判断して加熱ヒーター３０の駆動を持続させ、水蒸気内の水分含量がないときは、誘電緩和周波数が低くなることによって前記加熱ヒーター３０を停止させる機能がある。
【００６４】
この誘電センサー５０の最大の利点は、温度と誘電率を同時にチェックすることができることであり、この誘電センサー５０の原理において、誘電率が高いというのは基本的に電気エネルギーがうまく伝達されることを意味し、例えば誘電率の低い土では電気がめったに流れなく電磁波はよく透過するが、水分に濡れて誘電率が上昇した土壌の場合は、徐々に電気が流れ初め、電磁波はめったに透過できない。
【００６５】
このような性質を利用した誘電センサー５０を装着して使用することにより、低費用で正確性を高めることができることになるものである。
【００６６】
したがって、このような誘電センサー５０によって生ゴミの誘電率変化を測定して乾燥空間１０ａの温度変化を感知し、これを判断して加熱ヒーター３０及び空気循環ファン３１の駆動を制御することにより、生ゴミの乾燥効率はもちろん、後述する脱臭装置の脱臭効率を同時に高めることができるものである。
【００６７】
本発明による脱臭装置６０は、脱臭剤６１が内蔵されたままで本体１０の後方に装着される排気部１５に連結され、この排気部１５を通じて外部に排出される悪臭粒子を含む水蒸気を吸着して脱臭することになる。
【００６８】
生ゴミ乾燥器１から発生する悪臭は生ゴミに起因するので、含水量が高く、酸性悪臭と塩基性悪臭を同時に持っている。
【００６９】
したがって、前記脱臭装置６０に内蔵される脱臭剤６１は、高瞬間吸着性能及び水分存在時の高選択的吸着性能を持たなければならなく、塩基性悪臭及び酸性悪臭の両方を吸着、酸化及び中和させなければならない。
【００７０】
本発明では、このような脱臭剤６１として活性炭を選択し、円滑な排出ガスの流れと脱臭剤６１の吸着能を考慮して、平均粒径を０．５〜１．５ｍｍにした。
【００７１】
これは、前記粒径が０．５ｍｍ未満であれば、排出ガスの流れに影響があって、生ゴミ乾燥器１の内部温度が上昇する傾向があり、１．５ｍｍを超えれば、排出ガスの流れが速くて悪臭がめったに吸着、酸化及び／又は中和できないこともあるからである。
【００７２】
さらに、本発明では、脱臭効率を高めるとともに酸性悪臭を除去するために、前記活性炭に銅（Ｃｕ）、マンガン（Ｍｎ）、水酸化ナトリウム（ＮａＯＨ）及び水酸化カリウム（ＫＯＨ）を担持させて使用することになる。
【００７３】
すなわち、前記粒径を有する活性炭を本発明による生ゴミ乾燥器１に適用した結果、初期吸着によって悪臭が発生しないが、一定時間（約３日以上）が立った後からは酸性においを発生する欠点がある。
【００７４】
したがって、本発明では、脱臭性能を向上させるとともに酸性悪臭を除去するために、銅（Ｃｕ）及びマンガン（Ｍｎ）のような金属と水酸化ナトリウム（ＮａＯＨ）及び水酸化カリウム（ＫＯＨ）のような中和剤を前記活性炭に担持させて使用する。
【００７５】
本発明によれば、強酸化力を有するマンガン（Ｍｎ）は、酸化物形態で添加され、その使用量は５，０００〜８０，０００ｍｇ／ｌが望ましく、５，０００ｍｇ／ｌ未満であれば酸化力が低下し、８０，０００ｍｇ／ｌを超えれば過飽和してそれ以上溶解できない傾向がある。
【００７６】
銅（Ｃｕ）も酸化物形態で添加され、優れた酸化力及び優れたアンモニア脱臭能を有する。その使用量は５，０００〜２００、０００ｍｇ／ｌが望ましく、５，０００ｍｇ／ｌ未満であれば脱臭能が低下し、２００、０００ｍｇ／ｌを超えれば添加効果に影響がない。
【００７７】
前記水酸化ナトリウム（ＮａＯＨ）及び水酸化カリウム（ＫＯＨ）は酸性悪臭を中和させる目的で添加され、その使用量はそれぞれ１００〜１０、０００ｍｇ／ｌが望ましく、１００ｍｇ／ｌ未満であれば中和能が弱く、１０、０００ｍｇ／ｌを超えれば添加効果に影響がない。
【００７８】
このように、本発明による脱臭剤６１は、前記活性炭に酸化力が非常に強く、脱臭性能に優れた金属であるマンガン及び銅と中和剤としての水酸化ナトリウム及び水酸化カリウムを担持させて、脱臭効能と酸性悪臭除去能を上昇させることができる。
【００７９】
前記活性炭の使用量は処理される生ゴミの量に比例する。例えば、一般的な生ゴミ１００ｇを乾燥させるとき、前記活性炭の使用量は１００〜５００ｇ程度が好ましいが、生ゴミの種類によって前記使用量は変化することができる。
【００８０】
一方、本発明によれば、水１ｌに前記成分を溶解させた後、前記活性炭を常温で添加して担持させ、これを脱水させた後、活性炭の形状に変化を与えなければ、迅速な乾燥のために約９０〜１２０℃で乾燥させることで、本発明の脱臭剤を得る。このような担持方法は当業者には明らかに知られた技術である。
【００８１】
本発明において、前記成分を活性炭に常温で担持させる理由は、高温で溶解させて担持させれば、活性炭の気孔構造が変化することができるだけでなく、冷却して常温に復帰するとき、粒子が形成して活性炭の表面積を低下させる原因として作用することができるからである。
【００８２】
このように、本発明は、通常の活性炭によっては処理し難かった生ゴミ乾燥器１から発生する悪臭及び水蒸気の排出量を誘電センサー５０によって制御して、触媒成分が担持された特定活性炭の吸着、酸化及び中和機能を最適化させることで、本発明の目的を達成することができる。
【００８３】
このような活性炭を内蔵している脱臭装置５０の好ましい実施例は、図５に示すように、前記脱臭装置６０の内部に脱臭空間６２を隔離形成した後、活性炭をそれぞれ内装して、吸入口６３を通じて流入された水蒸気を含む空気を両側に分離して吸着及び脱臭することになる。
【００８４】
前記脱臭装置６０の内部に脱臭空間６２が隔離形成されることは、悪臭粒子が通過する断面積及び滞留時間を延ばして、活性炭による悪臭粒子の吸着脱臭効率を高めるためである。
【００８５】
また、前記脱臭装置６０のさらに好ましい実施例として、本発明は、脱臭空間６２に脱臭筒６４が別に装着されることにより、性能が低下した活性炭を使用者が容易で簡便に入れ替ることができる。
【００８６】
したがって、このような脱臭装置６０が、本体１０の後方に装着される排気部１５に吸入口６３を介して連結されることにより、この排気部１５を通じて外部に排出される悪臭粒子を含む水蒸気は、吸入口６３を通じて脱臭装置６０の内部に隔離形成されている脱臭空間６２に両分されて供給され、この過程で脱臭空間６２に内蔵された活性炭の作用によって分解されて大気中に排出される。
【００８７】
ここで、前記のような脱臭装置６０を含む本発明の生ゴミ乾燥器１の駆動による生ゴミの乾燥過程をその流れにしたがって具体的に説明すれば次のようである。
【００８８】
すなわち、生ゴミを乾燥箱２５に入れた状態で、カバー２０を閉め、操作スイッチ１４を操作すれば、本体１０の後方に延長された電線などを通じて外部電源が供給されることで、本体１０の内部乾燥空間１０ａに装着された空気循環ファン３１と加熱ヒーター３０が駆動される。
【００８９】
前記空気循環ファン３１の駆動によって発生した空気は、加熱ヒーター３０から発熱した熱を含んで吐出管４１に移送され、これに連結された送風管４２を通じて乾燥箱２５に送風されて、生ゴミを熱風で乾燥することになる。
【００９０】
この過程で、誘電センサー５０は熱風によって乾燥される生ゴミの誘電率変化を測定して乾燥空間１０ａの温度変化を感知し、これを判断して加熱ヒーター３０と空気循環ファン３１の駆動を制御することになる。
【００９１】
前記加熱ヒーター３０による乾燥過程で気化して蒸発する水蒸気を含む空気は循環配管４０の空気循環によって排気管４３に供給され、この排気管４３に供給された水蒸気を含む空気は排気部１５を経って、本体１０後方に装着された脱臭装置６０に供給され、内蔵脱臭剤６１に吸着される。
【００９２】
したがって、前記脱臭剤６１に吸着された水蒸気は分解されながら連続的に排出される乾燥空気によって乾燥され、最終的には大気中に排出される。
【００９３】
この脱臭剤の交替周期は少なくとも３ヶ月以上、通常的に６ヶ月程度である。
【産業上の利用可能性】
【００９４】
本発明は、誘電センサーを利用して乾燥器内部の温度と風量を一定に維持して生ゴミの乾燥効率を高め、この乾燥過程で気化して蒸発する水蒸気の発生量を一定に維持して脱臭剤の脱臭性能を向上させる生ゴミ乾燥器に適用可能である。
【図面の簡単な説明】
【００９５】
【図１】本発明による生ゴミ乾燥器の実施例を示す斜視図である。
【図２】本発明による生ゴミ乾燥器の内部構成を示す断面図である。
【図３】本発明による生ゴミ乾燥器の全体構成を示す分解斜視図である。
【図４】本発明による乾燥箱の実施例を示す分解斜視図である。
【図５】本発明による生ゴミ乾燥過程を一部切開して示す断面斜視図である。
【符号の説明】
【００９６】
１０    本体
１０ａ    乾燥空間
２０    カバー
２５    乾燥箱
２６    乾燥空間
３０    加熱ヒーター
３１    空気循環ファン
４０    循環配管
５０    誘電センサー
６０    脱臭装置
６１    脱臭剤
６２    脱臭空間
【図１】
2008290061.tif 000003
【図２】
2008290061.tif 000004
【図３】
2008290061.tif 000005
【図４】
2008290061.tif 000006
【図５】
2008290061.tif 000007